(57)【特許請求の範囲】
【請求項１】
柔軟なサンスクリーンと、前記サンスクリーンを縦方向において巻き取りおよび巻き出しするための巻き取りシャフトと、前記サンスクリーンの２つの向かい合った縦方向の端部領域と協働するための２つの向かい合ったガイドとを含むサンシェードアセンブリにおいて、
それぞれの前記ガイドは、前記サンスクリーンの縦断面から見て凹側と凸側を有するように湾曲しながら縦方向に延在しており、
前記サンスクリーンの縦方向の端部領域は、前記サンスクリーンの残りの部分よりも伸縮性が小さく、且つ前記サンスクリーンの縦方向において張力をかけられており、
それぞれの前記ガイドには、前記サンスクリーンの前記凹側において２つの向かい合った前記縦方向の端部領域のそれぞれに沿って面する傾斜したガイド面が設けられていることを特徴とするサンシェードアセンブリ。
【請求項２】
前記ガイドは、前記ガイドの中央部が前記ガイドの両端部よりも、前記凸側に向けて突出すように湾曲していることを特徴とする、請求項１に記載のサンシェードアセンブリ。
【請求項３】
前記傾斜したガイド面の平均傾斜角度は、横断面における前記サンスクリーンの中央部分に対して１５°〜７５°の間であることを特徴とする、請求項１または２に記載のサンシェードアセンブリ。
【請求項４】
前記傾斜したガイド面は、横断面において湾曲した形状を備えていることを特徴とする、請求項１〜３のいずれか一項に記載のサンシェードアセンブリ。
【請求項５】
前記傾斜したガイド面は、前記サンスクリーンに向かう方向において内部領域１２を備え、該内部領域１２は中央領域１３内に融合される第１の傾斜部を備え、該中央領域１３は、前記第１の傾斜部より急な第２の傾斜部を備え、再び該第２の傾斜部より穏やかな傾斜を伴った外部領域１４に融合されていることを特徴とする、請求項４に記載のサンシェードアセンブリ。
【請求項６】
前記サンスクリーンの前記縦方向の端部領域は、前記サンスクリーンの残りの部分と異なった素材で作られていることを特徴とする、請求項１〜５のいずれか一項に記載のサンシェードアセンブリ。
【請求項７】
前記サンスクリーンの前記縦方向の端部領域は、前記サンスクリーンの残りの部分と同一の素材で作られているが、前記縦方向の端部領域の伸縮性を小さくするための物質を浸透させているか、または伸縮性を小さくするための物質で処理されていることを特徴とする、請求項１〜５のいずれか一項に記載のサンシェードアセンブリ。
【請求項８】
前記縦方向の端部領域は、伸縮性がないことを特徴とする、請求項１〜７のいずれか一項に記載のサンシェードアセンブリ。
【請求項９】
前記サンスクリーンの前記縦方向の端部領域は、前記サンスクリーンの残りの部分と同じ厚さであることを特徴とする、請求項１〜８のいずれか一項に記載のサンシェードアセンブリ。
【請求項１０】
前記縦方向の端部領域の縦方向の張力は、一横方向の端部における前記巻き取りシャフトの巻取り力によって、および対向する横方向の端部における前記縦方向の端部領域に係合する張力付加手段によって発生していることを特徴とする、請求項１〜９のいずれか一項に記載のサンシェードアセンブリ。
【請求項１１】
前記張力付加手段は、引張ケーブル、引張ロープ、引張ベルトなどを含むものであることを特徴とする、請求項１０に記載のサンシェードアセンブリ。
【請求項１２】
前記張力付加手段は、前記巻き取りシャフトの巻き取り／巻き出し動作と同調して動かされていることを特徴とする、請求項１０または１１に記載のサンシェードアセンブリ。
【請求項１３】
前記サンスクリーンと前記ガイドとの少なくとも１つの係合部には、前記サンスクリーンと前記ガイドとの間の摩擦を減少させるためのコーティングが施されていることを特徴とする、請求項１〜１２のいずれか一項に記載のサンシェードアセンブリ。
【請求項１４】
固定ルーフ部内のルーフ開口部と、該ルーフ開口部を開閉するための移動可能な閉鎖パネルとを含んだ自動車のためのオープンルーフ構造において、
前記ルーフ開口部の下には、請求項１〜１３のいずれか一項に記載されたサンシェードアセンブリが設けられていることを特徴とするオープンルーフ構造。
【発明の詳細な説明】
【技術分野】
【０００１】
第１に本発明は、柔軟なスクリーンと、そのサンスクリーンを巻き取りおよび巻き出しするための巻き取りシャフトと、前記サンスクリーンの２つの向かい合った長手方向端部と協働するための２つの向かい合ったガイドとを含むサンシェードアセンブリに関する。
【背景技術】
【０００２】
サンシェードアセンブリのようなアプリケーションの１つの重要な分野は、オープンルーフ構造が設けられた自動車である。今日、ルーフ開口部は大きくなる傾向にあり、従って、大きな（長い）サンスクリーンを備えた大きいサンシェードアセンブリを作り出す必要がある。
【発明の開示】
【発明が解決しようとする課題】
【０００３】
しかしながらそのような大きなスクリーンは、ある種の欠点を有している。ガイドとサンスクリーンの長手方向の端部との間の摩擦が大幅に増大し、その摩擦は、サンスクリーンを巻き取るときに巻き取りシャフトによって（それとは逆にサンスクリーンを巻き出すために反対の動作部材によって）、大きな力がかけられ、サンスクリーンの横方向の収縮を結果として伴った大きい張力をサンスクリーン内に発生させ、最終的に大きい摩擦力またはサンスクリーンの長手方向の端部の離脱を引き起こすことになる。これらの大きい（摩擦力のような）力が発生する結果として、サンスクリーンは摩耗が増大することになり、損傷するまたは裂けるかもしれない。さらに、サンスクリーンを動かすために必要とされる力も増大する。
【０００４】
本発明の目的は、改良されたサンシェードアセンブリを提供することである。
【課題を解決するための手段】
【０００５】
本発明によるサンシェードアセンブリは、それぞれの前記ガイドは前記サンスクリーンに略垂直な面内で、前記サンスクリーンの長手方向の端部に略平行に湾曲して縦方向に延在しており、
前記サンスクリーンの長手方向の端部領域は、前記サンスクリーンの残りの部分よりも伸縮性が小さく、且つ前記サンスクリーンの長手方向において張力をかけられている
【０００６】
ガイドの湾曲した伸びの結果として、サンスクリーンの長手方向の端部領域は、確実な様式で配置される。なぜならば、それらの長手方向の端部領域は伸縮性が小さく、ガイドの湾曲の中心に最も近づいて、ガイドの部分内に安全に残るからである。しかしながら、そのサンスクリーンの残りは、ガイドの湾曲の中心からさらに離れた、ガイドの一部を通過するために、十分な伸縮性がある。このことは、サンスクリーンの端部をガイド内に安全に且つ確実に配置する結果となり、その一方で、適度な力を維持し、それによって摩擦力を制限している。
【０００７】
サンシェードの好適な実施形態において、前記ガイドは、長手方向において、前記ガイドの中央部が前記ガイドの端部よりも高くなっているように湾曲している。そのような湾曲は、ガイド面上方の凸側において、全体的に自動車の屋根の形状に適合しており、それによって、アセンブリの組み付けのために必要な空間の広さを制限している。
【０００８】
しかしながら、ガイドの向かい合った湾曲（下方に面した凸側）は、操作の同じ優位性（しかし、自動車内のアプリケーションのために不適切にならない）を備えたサンシェードアセンブリとなるということがわかる。
【０００９】
好適にはそれぞれの前記ガイドの凹部には、傾斜したガイド面が設けられている。そのような傾斜したガイド面は、サンスクリーンの端部の保持力と摩擦力との間のバランスを取る、良好なガイドの特性を提供する。
【００１０】
好適には、前記傾斜したガイド面の平均傾斜角度は、１５°〜７５°の間である。正確な角度は、例えばそれに限定されるものではないが、サンスクリーンの素材およびガイド面の素材と、構造的または寸法的特性に依存している。
【００１１】
傾斜したガイド面は平坦であってもよいが、前記ガイドの横断面図に見られるように、前記傾斜したガイド面は湾曲した形状を備えることも可能である。
【００１２】
例えば、前記傾斜したガイド面は、前記サンスクリーンに向かう方向において内部領域１２を備え、該内部領域１２は中央領域１３内に融合される第１の傾斜部を備え、該中央領域１３は、再び緩やかな傾斜を伴った外部領域１４内に融合される第２の急な傾斜部を備えている。そのような形状は、非常に良好なガイド特性を提供する。
【００１３】
別の実施形態によると、前記サンスクリーンの前記長手方向の端部領域は、前記サンスクリーンの残りの部分と異なった材料で作られており、これは伸び特性における異なった要求を満足するためである。
【００１４】
しかしながら、前記サンスクリーンの前記長手方向の端部領域は、前記サンスクリーンの残りの部分と同一の材料で作られているが、前記長手方向の端部領域の伸縮性を小さくするための物質を浸透させているか、または伸縮性を小さくするための物質で処理されることも可能である。
【００１５】
好適には、前記長手方向の端部領域は、ほとんど伸縮性がない。これは、ガイド内におけるサンスクリーンの低摩擦と良好な保持力とを得るための最適条件であると考えられる。
【００１６】
サンシェードアセンブリのその状態において、サンスクリーンの端部領域には、ガイド内にその点部領域を固定するための付加的な保持手段が、しばしば設けられている。全体的にそのような保持手段は、サンスクリーンの残りの部分よりも厚く、巻き取りシャフトにサンスクリーンを巻きつけるときに、困難になる。（例えば、巻き取りシャフトに対してサンスクリーンが移動する、不規則に巻き取る、サンスクリーンに折り目が付く、サンスクリーンを巻き出すときにガイド内に端部領域を導くための付加的なガイド部品を必要とするなどである。）
【００１７】
そのような付加的な問題を避けるために、本発明によるサンシェードアセンブリの別の実施形態によると、前記サンスクリーンの前記長手方向の端部領域は、前記サンスクリーンの残りの部分とほぼ同じ厚さである。巻き取りシャフトへの正常な巻き取り、および巻き取りシャフトからの正常な巻き出しが結果として得られる。
【００１８】
長手方向の端部領域において必要な張力を得るために、いくつかの可能性が存在する。例えば、前記長手方向における前記長手方向の端部領域の張力は、一方の端部における前記巻き取りシャフトの巻取り力によって、および対向する端部における前記端部領域に係合する張力付加手段によって発生していてもよい。
【００１９】
好適で且つ非常に単純な実施形態において、前記張力付加手段は、引張ケーブル、引張ロープ、引張ベルトなどを含むものである。
【００２０】
好適には、前記張力付加手段は、前記巻き取りシャフトの巻き取り／巻き出し動作と同調して動かされている。従って、サンスクリーンの全ての位置において、適正な張力が維持されていることを保証している。
【００２１】
前記サンスクリーンと前記ガイドとの少なくとも１つの係合部に、前記サンスクリーンと前記ガイドとの間の摩擦を減少させるためのコーティングが設けられているとき、操作力（および操作動力）はさらに最小となり、さらに摩耗が減少する。
【００２２】
第２に、固定ルーフ部内のルーフ開口部と、該ルーフ開口部を開閉するための移動可能な閉鎖パネルとを含んだ自動車のためのオープンルーフ構造に関する本発明おいて、前記ルーフ開口部の下には、本発明によるサンシェードアセンブリが設けられている。
【００２３】
以下に、本発明が図を参照して明瞭にされるであろう。
【発明を実施するための最良の形態】
【００２４】
まず図1を参照すると、自動車のためのオープンルーフ構造が、破線で概略的に現されているこのオープンルーフ構造は、固定ルーフ部２内のルーフ開口部１と、移動可能な閉鎖パネル３とを具備し、そのパネルは詳細には現されていないが、それ自体は既知のものであり、前記ルーフ開口部１の開閉のために移動されることが可能である。図1において、閉鎖パネル３はルーフ開口部を開いた位置で示されている。
【００２５】
ルーフ開口部１の下では、本発明によるサンシェードアセンブリが配置されている。基本的に、そのサンシェードアセンブリは、柔軟なサンスクリーン４と、そのサンスクリーン４を巻き取りおよび巻き出しするための回転可能な巻き取りシャフト５と、サンスクリーン４の２つの向かい合った長手方向と連携している、２つの向かい合ったガイド６および７とを具備している。
【００２６】
これまでのところにおいて、サンシェードアセンブリは従来通りの形状であり、好適には、巻き取りシャフト５はサンスクリーン４をそこに巻き取るための予圧がかけられた状態になっている。さらに、それ自体既知の方法において、巻き取りシャフト５に巻き取られている終端と向かい合ったサンスクリーン４の端部には、プルビーム８が設けられており、そのビームは、サンスクリーン４を操作するために手動で握られ、消耗の位置に配置されてもよい。
【００２７】
それぞれのガイド６および７は、サンスクリーン４に略垂直な面内で、サンスクリーン４の長手方向の端部に略平行に湾曲して縦方向に延在している。その平面は、サンスクリーン４の長手方向の中心線を通って伸びる仮想垂直面に平行である。図２において、図１のＩＩ−ＩＩにおける横断面図が示されており、前記平面は一点鎖線Ｐ１およびＰ２によって概略的に図示されている。
【００２８】
再度図２を参照すると、サンスクリーン４の長手方向の端部領域９および１０は、ガイド６および７の内部部品に収納されていることが明確に示されている。前記長手方向の端部領域９は（その全長に沿ったサンスクリーン４の端部について延在しているが）、サンスクリーン４の残りの部分よりも伸縮性が小さい。サンスクリーン４はある程度の伸縮性を備え、サンスクリーンの長手方向に伸ばされている。この伸びが発生する様式は、後ほど説明する。
【００２９】
図１に示されているように、図１に示されたサンシェードアセンブリの側面図を概略的に図示した図３にも示されているが、ガイド６および７は、長手方向においてその中心部が端部よりも高くなっているような形状で湾曲していることが、明確に示されている。
【００３０】
再度図２を参照すると、それぞれのガイド６および７には、凹部において、傾斜したガイド面１１が設けられている。特に、図示された実施形態において、傾斜したガイド面１１は、サンスクリーン４に向かう方向において内部領域１２を備え、内部領域１２は中央領域１３内に融合される第１の傾斜部を備え、中央領域１３は、再び緩やかな傾斜を伴った外部領域１４内に融合される第２の急な傾斜部を備えている。傾斜部は後述の図４に関する角度によって定義されてもよい。
【００３１】
サンスクリーン４の長手方向の端部領域９および１０と組み合わされたガイド６および７の湾曲部は、伸縮性が小さく、その結果サンスクリーン４の残りの部分は、ガイド内でサンスクリーンに適度な引っ張りを与えており、その一方で、サンスクリーン４をガイドに対して移動した場合に、摩擦力を低く維持している。
【００３２】
図４はガイドの代替的な実施形態の横断面図を示している。この実施形態において、傾斜したガイド面１１’は直線状の形状であり、好適に１５°〜７５°の角度を垂直面と共に形成している。
【００３３】
図３を参照すると、サンシェードアセンブリが側面図として概略的に図示されている。その状態において、ガイド６および７は中央部において高くなる湾曲した形状で形成されていることが明確に見られる。そのことを確実にするために、端部９および１０を備えたサンスクリーン４は、巻き取りシャフト５の近傍でガイド６および７の外部に引っ張られず、ガイドバー１５はサンスクリーン４上に設けられている。
【００３４】
さらに、図３は、（例えば引張ケーブル、引張ロープ、引張ベルトといった）張力付加手段１６が、位置１７において１一方の端部がサンスクリーン４の相対する端部の自由端に取り付けられ、反対側の端部が巻き取りシャフト５、またはそこと協働する機構に接続されていることを現している。張力付加手段１６は、逆転ローラ１８の周囲に延在しているが、（巻き取りシャフト５と共に）サンスクリーン４の長手方向の端部領域の張力を維持することを目的としている。張力付加手段１６と巻き取りシャフト５との間の連結は、張力付加手段１６が巻き取りシャフト５の動作と同調するようにされている。
【００３５】
図より、図示された実施形態において、長手方向の端部領域９および１０は、サンスクリーン４の残りの部分とほぼ同じ厚さであることが明確に示されている。
【００３６】
図示されていないが、ガイド６および７の一部および／またはサンスクリーン４の一部（特にガイド６および７に係合する部分）には、サンスクリーン４とガイド６および７との間の摩擦を減少させるコーティングが施されている。
【００３７】
本発明はこれまでに記載された実施形態に限定されるものではなく、請求の範囲に記載されることで定義された発明の範囲内で、広く変化するものである。
【図面の簡単な説明】
【００３８】
【図１】オープンルーフ構造に適用されたサンシェードアセンブリの斜視図を示している。
【図２】図１のＩＩ−ＩＩによる縦断面図を示している。
【図３】サンシェードアセンブリの側面図を示している。
【図４】ガイドの代替的な実施形態の横断面図を示している。
【符号の説明】
【００３９】
１            ルーフ開口部
２            固定ルーフ部
３            閉鎖パネル
４            サンスクリーン
５            巻き取りシャフト
６，７        ガイド
８            プルビーム
９，１０      端部領域
１１，１１’  ガイド面
１２          内部領域
１３          中央領域
１４          外部領域
１５          ガイドバー
１６          張力付加手段
１８          逆転ローラ
【図１】
0005584389.tif 000002
【図２】
0005584389.tif 000003
【図３】
0005584389.tif 000004
【図４】
0005584389.tif 000005